(57)【特許請求の範囲】
【請求項１】
ＩＣモジュールを有する非接触情報媒体と電磁波からなるキャリアを用いて非接触で通信可能なリーダライタであって、
前記非接触情報媒体との間で情報の通信を行うアンテナ部と、
所定の周波数のキャリアを与えられた情報に従って変調し、所定のＯＮ／ＯＦＦよりなる波形を有するキャリア信号を生成する変調回路と、
前記キャリア信号を受けて前記アンテナ部を駆動する駆動回路と、
前記変調回路に接続され、前記所定のＯＦＦタイミングに同期して所定のパルス信号を生成するロジック回路と、
前記ロジック回路に接続され、前記駆動回路にワイヤードＯＲで接続されたトランジスタを有し、前記アンテナ部で生じる減衰振動を抑制する減衰振動キャンセル部と、
前記ロジック回路と前記減衰振動キャンセル部の間に接続された微分回路と、を有するリーダライタ。
【請求項２】
前記微分回路は、前記アンテナ部の構造に応じて前記減衰振動を抑制するように所定の定数が調整可能である請求項１記載のリーダライタ。
【請求項３】
ＩＣモジュールを有する非接触情報媒体と、
該非接触情報媒体と電磁波からなるキャリアを用いて非接触で通信可能なリーダライタとを有する通信システムであって、
前記リーダライタは、
前記非接触情報媒体との間で情報の通信を行うアンテナ部と、
所定の周波数のキャリアを与えられた情報に従って変調し、所定のＯＮ／ＯＦＦよりなる波形を有するキャリア信号を生成する変調回路と、
前記キャリア信号を受けて前記アンテナ部を駆動する駆動回路と、
前記変調回路に接続され、前記所定のＯＦＦタイミングに同期して所定のパルス信号を生成するロジック回路と、
前記ロジック回路に接続され、前記駆動回路にワイヤードＯＲで接続されたトランジスタを有し、前記アンテナ部で生じる減衰振動を抑制する減衰振動キャンセル部と、
前記ロジック回路と前記減衰振動キャンセル部の間に接続された微分回路と、を有する通信システム。
【発明の詳細な説明】
【０００１】
【発明の属する技術分野】
本発明は、一般には、情報及び電力の伝達システムに係り、特に、データを記録可能なＩＣモジュールを内蔵した非接触情報媒体と通信可能なリーダライタおよびそれを使用した通信システムに関する。「ＩＣモジュールを内蔵した非接触情報媒体」とは、ＩＣチップを含むＩＣモジュールを情報記録媒体として備え、リーダライタを介し外部装置と非接触に交信する媒体であって、非接触であれば、電波の波長を問わず、また、通信距離の長さも問わない。
【０００２】
ＩＣチップ又はＩＣモジュールを内蔵した非接触情報媒体の典型的なものは、例えば、マイクロ波を利用してリーダライタと交信する非接触ＩＣタグである。なお、本明細書においては、「ＩＣタグ」は、ＩＣカードと同様の機能を有するが、切手サイズやそれ以下の超小型やコイン等の形状を有する全ての情報記録媒体を含むものである。なお、本出願においては、「ＩＣカード」は、スマートカード、インテリジェントカード、チップインカード、マイクロサーキット（マイコン）カード、メモリーカード、スーパーカード、多機能カード、コンビネーションカードなどを総括している。
【０００３】
但し、リーダライタの交信相手は必ずしもＩＣを備えた非接触情報媒体に限定されず、少なくともリーダライタと交信可能なアンテナを備えていればよい。
【０００４】
【従来の技術】
リーダライタは、ＩＣタグやＩＣカードなどの非接触情報媒体との通信方法に従って接触型と非接触型に分類することができる。このうち、非接触型は、ＩＣタグとの接点がないので接触不良がなく、ＩＣタグがリーダライタから数ｃｍ乃至数十ｃｍ離れた移動使用を可能にし、汚れ、雨、静電気に強いなどの特徴があり、今後ますますその需要は高まるものと予想されている。
【０００５】
非接触型のリーダライタは、一般的に、アンテナ（例えば、アンテナコイル）を介しキャリアである電磁波（電波）を送信することで非接触ＩＣタグとの通信を行っている。より詳細には、リーダライタは一定振幅の高周波信号のキャリアを与えられたデータで変調し、変調されたデータを送信している。例えば、ＡＳＫ１００％変調においては、リーダライタはキャリアをＯＮ／ＯＦＦさせることでデータを送信している。このとき、非接触ＩＣタグは、リーダライタのアンテナから受信した電波から電磁誘導によって動作電力を得ると共に、電波を利用してリーダライタからデータを受信している。一方、受信時には、リーダライタはキャリアを連続的に送信することで、非接触ＩＣタグに動作電力を供給している。これにより、非接触ＩＣタグは、データを送信するために搬送波を送信データに応じて変化させてアンテナコイルに送信し、これによりリーダライタにデータを送信している。なお、このような通信システムにおいて、典型的に、リーダライタは通信システムにおける主導権を有しており、かかる動作を繰り返すことで複数の非接触ＩＣタグとリーダライタとの通信を行っている。
【０００６】
【発明が解決しようとする課題】
しかしながら、従来のリーダライタでは、アンテナコイルによって発生する減衰振動により非接触ＩＣタグが誤作動を起こしてしまい良好な通信状態を確保することができないという問題を有していた。図８を参照するに、上述したようにリーダライタはコマンドに応じてキャリアをＯＮ／ＯＦＦすることでデータを送信するが（例えば、ＡＳＫ１００％変調）、キャリアをＯＦＦとしたときアンテナコイルはその性質上減衰振動を発生してしまう。これは、アンテナコイルを理想コイルに近づければ近づけるほど顕著となる現象であり、また、アンテナの小さなリーダライタにおいて良好な通信状態を得るべく動作電圧を高くとった場合に避けられない問題であった。ここで、図８の（ａ）は減衰振動が発生した場合のキャリアを示す波形図であり、（ｂ）は非接触ＩＣタグによって検出され波形整形された波形図である。なお、図８の（ａ）に示す点線は、非接触ＩＣタグによって検出されるスレッシュホールドレベル（閾値）を示している。
【０００７】
図９に示す理想波形、即ち、本来リーダライタが送信すべき波形と比較すると、かかる減衰振動によって生じた余分な波形により検出される波形にはΔｔだけ時間差が生じていることが理解される。ここで、図９の（ａ）は理想的なキャリアを示す波形図であり、（ｂ）は非接触ＩＣタグによって検出され波形整形された波形図である。よって、かかる時間差は非接触ＩＣタグを構成する回路に遅延時間を発生させるため、非接触ＩＣタグの誤作動の引き金になっていた。それはすなわち、リーダライタと非接触ＩＣタグの通信状態の不良を意味する。
【０００８】
【課題を解決するための手段】
そこで、このような課題を解決する新規かつ有用なリーダライタ及びそれを用いた通信システムを提供することを本発明の概括的目的とする。
【０００９】
より特定的には、本発明は、アンテナコイルの減衰振動を抑制し、良好な通信状態を得ること可能とするリーダライタ及びそれを用いた通信システムを提供することを本発明の例示的目的とする。
【００１０】
上記目的を達成するために、本発明の一側面としてのリーダライタは、ＩＣモジュールを有する非接触情報媒体と電磁波からなるキャリアを用いて非接触で通信可能なリーダライタであって、前記非接触情報媒体との間で情報の通信を行うアンテナ部と、所定の周波数のキャリアを与えられた情報に従って変調し、所定のＯＮ／ＯＦＦよりなる波形を有するキャリア信号を生成する変調回路と、前記キャリア信号を受けて前記アンテナ部を駆動する駆動回路と、前記変調回路に接続され、前記所定のＯＦＦタイミングに同期して所定のパルス信号を生成するロジック回路と、前記ロジック回路に接続され、前記駆動回路にワイヤードＯＲで接続されたトランジスタを有し、前記アンテナ部で生じる減衰振動を抑制する減衰振動キャンセル部と、前記ロジック回路と前記減衰振動キャンセル部の間に接続された微分回路と、を有する。かかるリーダライタによれば、アンテナコイルの減衰振動を抑制することができると共に、ロジック回路と減衰振動キャンセル部の間に微分回路を配置する構成により、減衰振動に関するアンテナコイルの内部抵抗の違いによる対応も容易に行うことができる。
【００１１】
前記微分回路は、前記アンテナ部の構造に応じて前記減衰振動を抑制するように所定の定数が調整可能であり、減衰振動を効果的に抑制することができる。
【００１２】
また、本発明の別の側面としての通信システムは、ＩＣモジュールを有する非接触情報媒体と、該非接触情報媒体と電磁波からなるキャリアを用いて非接触で通信可能なリーダライタとを有する通信システムであって、前記リーダライタは、前記非接触情報媒体との間で情報の通信を行うアンテナ部と、所定の周波数のキャリアを与えられた情報に従って変調し、所定のＯＮ／ＯＦＦよりなる波形を有するキャリア信号を生成する変調回路と、前記キャリア信号を受けて前記アンテナ部を駆動する駆動回路と、前記変調回路に接続され、前記所定のＯＦＦタイミングに同期して所定のパルス信号を生成するロジック回路と、前記ロジック回路に接続され、前記駆動回路にワイヤードＯＲで接続されたトランジスタを有し、前記アンテナ部で生じる減衰振動を抑制する減衰振動キャンセル部と、前記ロジック回路と前記減衰振動キャンセル部の間に接続された微分回路と、を有する。かかる通信システムによれば、上述したリーダライタより構成され、同様の作用を奏する。即ち、リーダライタと通信する非接触情報媒体の誤作動を防止することができるので、かかる通信システムの通信状態は良好なものとすることができる。
【００１３】
本発明の更なる目的又はその他の特徴は添付図面を参照して説明される好ましい実施例において明らかにされるであろう。
【００１４】
【発明の実施の形態】
以下、添付図面を参照して、本発明のリーダライタ１００及びそれを用いた通信システム１について説明する。図１を参照するに、通信システム１は、リーダライタ１００と、非接触情報媒体２００とを有している。なお、添付図面の各図において、同一の参照番号を付した部材は同一部材を表すものとし、重複説明は省略する。図１は、本発明の通信システム１の構成を示すブロック図である。図２は、図１に示すリーダライタの概略ブロック図である。図３は、図２に示すリーダライタ１００の構成を概略的に示す回路図である。
【００１５】
リーダライタ１００はキャリア周波数ｆｃを有する電波Ｗ（以下、単にキャリアと表現する場合もある。）を非接触情報媒体２００へ送信及びから受信し、無線通信を利用して非接触情報媒体２００と交信する。電波Ｗは任意の周波数帯のキャリア周波数ｆｃ（例えば、１３．５６ＭＨｚ）を使用することができる。図１に良く示されるように、リーダライタ１００は本体１０５と、本体１０５上面に位置するアンテナ部１１０と、本体１０５内部に格納される制御インターフェース部１２０と、電源回路１７０とを有している。アンテナ部１１０と制御インターフェース部１２０は後述するケーブル１８０によって電気的に接続されている。また、リーダライタ１００は、制御インターフェース部１２０を介して更なる図示しない外部ホスト装置（処理装置、制御装置、パーソナルコンピュータ、ディスプレイなど）に接続されている。
【００１６】
また、リードライタ１００は、例えば、家庭用コンセントのＡＣ１００Ｖ又は電池等の外部電源を取り込み可能な図示しないＡＣアダプタ（及び、それに接続するコード及びプラグ等）又は電池収納部を備え、かかるＡＣアダプタ又は電池収納部は電源回路１７０に接続されている。また、通信システム１において、リーダライタ１００は図示しない外部装置に接続可能な図示しないＵＳＢケーブル又はＵＡＲＴケーブルを備えているが、リーダライタ１００が上記外部装置を含む総合的な装置として構成されてもよい。なお、本実施例のリーダライタ１００が外部装置にＵＳＢを介して接続される場合、上述したＡＣアダプタ又は電池収納部は外部装置の電源を共有することで省略されても良い。
【００１７】
リーダライタ本体１０５は、図１において筐体として図示されているが、かかる形態は例示的であって、これに限定されるものではない。例えば、リーダライタ１０５は用途に合わせた任意の形状（例えば、球体、筐体を含む多角形体など）を有することができ、所要のプラスチック材料を成形したものである。但し、本体１０５の材料についても、金属材料や、ガラス、セラミック、木材、紙などのプラスチック以外の材質であっても良く、また、これらのグループより選択される複合材料であっても良い。更に、リーダライタ１０５は、後述するアンテナ部１１０に非接触情報媒体２００を係合するための係合部材、アンテナ部１１０を可視的に表示するための表示手段（例えば、アンテナ部１１０を画定するように配置されたＬＥＤ等）、非接触情報媒体２００との通信状態を示すための表示手段、及び、その他いかなる構成を備えてもよく、その形態は使用に応じていかようにも変形可能である。
【００１８】
アンテナ部１１０は非接触情報媒体２００との間で情報の通信を行う機能を有し、図１に示されるように、アンテナ部１１０は通信装置１００の上面に位置し、所定の通信領域（図中、点線で示す領域）を有している。アンテナ部１１０は、ループアンテナ１１２と整合回路１１４により構成される。
【００１９】
ループアンテナ１１２は、通信状態を妨げない程度の材料より整形された基体１１１（例えば、円状の基体１１１）の周囲に沿って延在される巻線部分である。なお、基体１１１はかかる形状に限定されず、所望の形状として実現することができる。しかしながら、ループアンテナ１１２は、必ずしも基体１１１に設けられることを必要とせず、例えば、リーダライタ本体１０５の一部に形成されても、巻線部分が外部に露出されてもよく、所望の形態に応じて選択可能である。
【００２０】
ループアンテナ１１２は、フィルムにラミネートされた配線材を接着したり、金属配線、ワイヤの貼り合わせや、エッチング、蒸着、プレーティングその他の加工技術によって形成されたものである。配線材料としては、例えば、アルミニュームや銅などの比較的に電気導電率の高い材料が用いられるが、これに限定されるものではない。ループアンテナ１１２の大きさや形状はアンテナの駆動電力や所望とする通信領域（即ち、広さ）より決定されることが望ましく、これに関し限定を有するものではない。なお、本実施形態のリーダライタ１００は、ループアンテナ１１２が小さい場合であっても、ループアンテナ１１２によって発生する減衰振動を抑制可能であり、良好な通信状態を得ることができる。
【００２１】
整合回路１１４は本実施形態において容量であって、ループアンテナ１１２に対して並列に接続されている。
【００２２】
制御インターフェース部１２０は、送信部１３０と、減衰振動キャンセル部１４０（以下、単にキャンセル部１４０と称する）と、受信部１５０と、コントローラ１６０とを内蔵している。
【００２３】
送信部１３０は、図示しない外部装置より送信されたデータを変調し、ループアンテナ１１２に送信する。送信部１３０は発振回路１３２と、変調回路１３４と、駆動回路１３６とを有する。発振回路１３２は所定の周波数のキァリアを発生するための回路であり、水晶振動子又はセラミック振動子等を使用することにより構成可能である。変調回路１３４はキャリアを与えられた情報に従って変調する回路であり、例えば、通常のＣＭＯＳ ＡＮＤゲート回路等で構成することができる。この場合、変調方式としては、振幅変調方式の一種であるＡＳＫ（Ａｍｐｌｉｔｕｄｅ Ｓｈｉｆｔ Ｋｅｙｉｎｇ）１００％方式であるが、他の変調方式例えばＰＳＫ（Ｐｈａｓｅ Ｓｈｉｆｔ Ｋｅｙｉｎｇ）方式，ＦＳＫ（Ｆｒｅｑｕｅｎｃｙ Ｓｈｉｆｔ Ｋｅｙ ｉｎｇ）方式であってもよい。最後に、駆動回路１３６は変調されたキャリアを受けて電力増幅し、アンテナ部１１０を駆動する。駆動回路１３６は、本実施形態において、抵抗とトランジスタにより構成される。なお、本明細書に記載された送信部１３０は例示的であって、これと同様の作用を奏する構成を適用することを排除するものでない。
【００２４】
キャンセル部１４０は、キャリアのＯＮ／ＯＦＦに伴いアンテナ部１１０のループアンテナ１１２によって発生する減衰振動を抑制する機能を有する。キャンセル部１４０はロジック回路１４２と、キャンセル回路１４６とを有し、キャンセル回路１４６の後述するトランジスタ１４７と上述した駆動回路１３６のトランジスタがワイヤードＯＲとなるように接続されている。
【００２５】
ロジック回路１４２は上述した変調回路１３４に接続され、キャリアのＯＦＦタイミングに同期して数クロックのパルス信号を作成する。ロジック回路１４２は図示しないクロックに接続されており、かかるクロックを使用して当該数クロックのパルス信号を作成可能としている。なお、ロジック回路１４２は、後述するコントローラ１６０のクロックを使用しても良く、かかる構成においては上述した図示しないクロックは省略可能である。
【００２６】
図４を参照するに、ロジック回路１４２が生成するパルス信号について説明する。ここで、図４は、ループアンテナ１１２に送信される信号と同一な時間軸で示した、ロジック回路１４２によって生成されるパルス信号を示した図である。図４に良く示されるように、ロジック回路１４２はキャリアのＯＦＦタイミングに同期して所定幅のパルス信号を出力している。所定の幅は、一般的に、キャリアのＯＮ／ＯＦＦに長さに対応して決定される値であるが、かかるパルス信号によってキャリアの減衰振動が最も小さくなるような値をシミュレーション等によって決定することが望ましい。
【００２７】
キャンセル回路１４６はトランジスタ１４７と抵抗１４８から構成される回路である。上述したように、トランジスタ１４７は駆動回路１３６のトランジスタとワイヤードＯＲとなるように接続されている。
【００２８】
かかる構成のキャンセル部１４０は、所定のタイミングパルス信号を作成し、上記トランジスタ１４７を駆動回路１３６のトランジスタとワイヤードＯＲで接続することにより、ループアンテナ１１２の減衰振動を抑制する。図５を参照するに、（ａ）に示すループアンテナ１１２より出力されるキャリアに対し、（ｂ）に示すキャンセル部１４０によって生成されるタイミングパルスを生成することで、実際にループアンテナ１１２より出力されるキャリアは（ｃ）に示すような波形を示す。なお、（ｂ）に示すパルス信号は、図３に示すように、キャリアのＯＦＦタイミングに同期して出力されているものである。ここで、図５の（ａ）は減衰振動を有するキャリアを示す波形図であり、（ｂ）は減衰振動キャンセル部１４６により作成されるパルス信号であり、（ｃ）は減衰振動キャンセル部１４６を設けることによって得られるループアンテナ１１２より出力されるキャリアを示した波形図である。以上より、（ｃ）に示す波形は理想波形、即ち、図３に示すループアンテナに送信される信号と同一であり、減衰振動が抑制されている。
【００２９】
なお、図３に示すように、キャンセル部１４０はロジック回路１４２とキャンセル回路１４６の間に微分回路１４４を配置する構成であっても良い。微分回路１４４は、上述した減衰振動に関するループアンテナ１１２の内部抵抗の違いによる対応も、微分回路１４４の所定の定数を調整することで容易に調節可能となる。微分回路１４４は、図３に示すように、容量と抵抗よりなる回路であるが、ＯＰアンプを使用して構成しても良い。しかしながら、かかる微分回路１４４は、容量と抵抗よりなる簡素な構成であって、安価に作成できるという長所を有する。
【００３０】
本実施形態において、キャンセル部１４０はロジック回路１４２を変調回路１３４に接続することで、キャリアのＯＦＦタイミングに同期したパルス信号を生成している。しかし、かかるロジック回路１４２は、後述するコントローラ１６０に代替される、又はコントローラ１６０の一部として構成されてもよい。かかる構成において、後述するコントローラ１６０はトランジスタ１４７（又は、微分回路１４４）に接続され、送信部１３０の変調回路１３４をモニタリングし、ＯＦＦタイミングに同期したパルス信号を生成するであろう。
【００３１】
受信部１５０は、図示しない検波手段（電流検出手段）と、復調回路とを有すし、非接触情報媒体２００が送信した信号を復元する。本実施形態において、検波手段はループアンテナ１１２に流れる電流の変化を検出する手段であって、例えば、当該周知の電流検出手段より構成することができる。なお、検波手段は、本実施形態において電流検出手段として実現されるが、非接触情報媒体２００が送信した信号を検出可能ないかなる構成であってよい。また、復調回路は電流検出手段で検出された変化分を復調する回路であって、これもまた当該周知のいかなる技術の適用を排除するものでない。
【００３２】
コントローラ１６０は、復調した信号から情報を取り出して外部装置に転送する。コントローラ１６０は、例えば、ＣＰＵより構成されても良いし、これと異なる制御及び／又は処理回路であってもよい。
【００３３】
電源回路１７０は外部より電力の供給を受けて適宜電圧変換を行い、各回路に対し必要電力を供給するものであるが、場合によっては内蔵電池を電力源としてもよい。電源回路１７０は、本実施形態において、アンテナ部１１０を１５Ｖ電源で駆動する。なお、電源回路１７０は当業界周知のいかなる技術をも適用可能であり、ここでの詳細な説明は省略する。
【００３４】
再び、図１を参照するに、上述のリーダライト１００と交信可能な非接触情報媒体２００について説明する。
【００３５】
非接触情報媒体２００は、リーダライタ１００と電磁波（電波）を使用して交信する。本実施形態において、非接触情報媒体２００は、用途に合わせた任意の形状（例えば、ペンダント形状、コイン形状、キー形状、カード形状、タグ形状など）を有することができ、非接触ＩＣタグとして実現されている（以下、非接触ＩＣタグ２００と交換可能に使用する）。但し、非接触情報媒体２００は、クレジットカードと同一寸法を有する、所謂ＩＳＯ（国際標準化機構：Ｉｎｔｅｒｎａｔｉｏａｌ  Ｏｒｇａｎｉｚａｔｉｏｎ  ｆｏｒ  Ｓｔａｎｄａｒｄｉｚａｔｉｏｎ）サイズ（縦５４ｍｍ、横８５．６ｍｍ、厚さ０．７６ｍｍ）のＩＣカードとして実現されてもよい。また、かかるＩＣカードにおいて、クレジットカードやキャッシュカードなどの磁気ストライプを有するカード媒体に適用されることを妨げるのもではない。更に、非接触情報媒体２００は、選択的に、エンボス、サインパネル、ホログラム、刻印、ホットスタンプ、画像プリント、写真などが形成されてもよい。
【００３６】
図６及び図７を参照するに、非接触ＩＣタグ２００は、基板２０５と、アンテナ部２１０と、ＩＣモジュール２２０とを有する。ここで、図６は非接触ＩＣタグ２００の構成を示す回路図である。図７は、非接触ＩＣタグ２００を示す概略平面図である。図７によく示されるように、非接触ＩＣタグ２００は、基板２０５上に取り付けられたＩＣモジュール２２０の表面に形成された後述するコイルパターン２１２がパッド部２３０を介してＩＣモジュール２２０と電気的に接続されている。本実施例の非接触ＩＣタグ２００は、ＩＣモジュール２２０の回路パターン上にアンテナコイルが形成されたオンコイルＩＣモジュール２２０として実現されている。しかし、本発明の非接触情報媒体２００はアンテナコイルがＩＣモジュールに内蔵されていない非接触情報媒体２００にも適用できることはいうまでもない。
【００３７】
なお、非接触ＩＣタグ２００は、バッテリを内蔵してもよいが、内臓バッテリの劣化に伴うトラブルを回避すると共に、チップを小型化するためにバッテリレスとすることが好ましい。従って、非接触ＩＣタグ２００は、リーダライタ１００から受信した電波から電磁誘導によって動作電力を得ると共に、電波を利用してリーダライタ１００とデータを交換することができるものとする。
【００３８】
基板２０５は、ＩＣモジュール２２０を直接あるいは間接的に張り合わして固定する基板である。基板２０５は、上述したように所要の形状を有し、所要のプラスチック材料を成形したものである。しかし、基板２０５の材料についても、交信を妨げない範囲で金属材料や、ガラス、セラミック、木材、紙などのプラスチック以外の材質であっても良く、これらとプラスチックとの複合材料であっても良い。
【００３９】
アンテナ部２１０はリーダライタ１００と交信するためのアンテナであって、コイルパターン２１２と、コイルパターン２１２に対して並列に接続された容量２１４とを有する。コイルパターン２１２は、例えば、略正方形状のＩＣモジュール２２０の周辺部に沿って延在される巻線パターンを有し、その巻数は当該ＩＣモジュール２２０の通信電波のキャリア周波数に応じて設定される。オンチップコイルはその配線の両端において、一対のパッド部２３０を介しＩＣモジュール２２０の内部回路と電気的に接続されており、信号の送受信が可能である。図において、容量２１４はパッド部２３０を介しオンチップ回路２１２に対して並列に接続されるが、容量２１４がコイルパターン２１２と並列となるようなその他の接続方法を排除するものではない。かかる構成において、アンテナ部２１０を構成する合成回路の共振周波数は、非接触ＩＣタグ２００が交信する信号のキャリア周波数となっている。
【００４０】
なお、非接触ＩＣタグ２００がＩＣモジュールを内蔵していない非接触情報媒体として実現されるのであれば、コイルパターンはアンテナ部の形状や寸法、その他の条件に応じて所望の寸法、形状、自己インダクタンス、相互インダクタンスを有するように形成されるに足りるものである。例えば、上から見た場合にコイルパターンの形状は円形、四角形、楕円形など所望の形状を有することができる。また、コイルの代わりにダイポールアンテナその他のアンテナを使用してもよい。
【００４１】
ＩＣモジュール２２０は、例えば、その内部にＥＥＰＲＯＭなどの不揮発性半導体メモリを内蔵したＩＣチップや、マイコンなどの半導体チップ、或いは他の信号処理回路を内蔵した集積回路装置である。ＩＣモジュール２２０は、電源回路２２２と、送受信回路２２４と、メモリ２２６と、ロジック制御回路２２８と、図示しないクロックとを内蔵している。
【００４２】
非接触ＩＣタグ２００はバッテリを内蔵しておらず、電源回路２２２はアンテナ部２１０が受信した電波から電磁誘導によってその動作電力を得る。
【００４３】
送受信回路２２４は受信回路と送信回路を有している。受信回路は、受信した電波を検波してそれからデータを得るために基底帯域信号を復元する。また、送信路は、データを送信するために搬送波を送信データに応じて変化させてコイルパターン２１２に送信する。変調方式は負荷変調を使用することもできる。負荷変調とは、媒体電力（負荷）を送信でータに従って変調する方式をいう。なお、本明細書に記載された送受信回路２２４は例示的であって、これと同様の作用を奏するいかなる構成の送受信回路を適用することを排除するものでない。
【００４４】
メモリ２２６はデータを保存するＲＯＭ、ＲＡＭ、ＥＥＰＲＯＭ及び／又はＦＲＡＭ等から構成される。メモリ２２６は、例えば、ＩＤ情報や所定額の電子マネーなどの価値や取引記録その他を格納することができ、
送受信回路２２４はロジック制御回路２２８によって制御されて、クロックに同期して動作する。ロジック制御回路２２８はＣＰＵを使用して実現してもよいしＣＰＵを用いずに実現してもよい。非接触ＩＣタグ２００はリーダライタ１００のアンテナ部１１０とかかるデータに基づいて交信するときに、ロジック制御回路２２８は所定の処理を行うことができる。例えば、ロジック制御回路２２８は所定の取引（例えば、切符の購入や電子マネーの入金など）によりかかる価値をメモリ２２６から増減等することができる。なお、これらの構成要素の構成や動作は当業者には容易に理解できるため詳しい説明は省略する。
【００４５】
次に、本発明の通信システム１の動作について説明する。リーダライタ１００から非接触ＩＣタグ２００にデータが送られる場合には、図示しない外部装置からのデータは、リーダライタ１００において、コントローラ１６０で処理されて送信部１３０に送られる。この送信部１３０では、発振回路１３２から一定振幅の高周波信号がキャリアとして供給されており、このキャリアがデータで変調されて変調高周波信号が出力される。この場合、変調方式としては、振幅変調、周波数変調、位相変調などいずれであってもよい。変調回路１３４から出力される変調高周波信号は駆動回路１３６を介してアンテナ部１１０に供給される。
【００４６】
本発明では、これと同時に、減衰振動キャンセル部１４０が、かかる変調高周波信号のＯＦＦタイミングに同期して、所定のパルス信号を生成し、ループアンテナ１１２における減衰振動の抑制に寄与する。よって、かかるリードライタ１００は非接触情報媒体２００と良好な通信状態を得ることができる。
【００４７】
このときには、リーダライタ１００に非接触ＩＣタグ２００が近接されており、リーダライタ１００のループアンテナ１１２と非接触ＩＣタグ２００のコイル２１２とが電磁結合されている。
【００４８】
そこで、非接触ＩＣタグ２００においては、アンテナ部２１０のコイル２１２を介して変調高周波信号が送受信回路２２４の図示しない受信回路に供給される。また、この変調高周波信号は電源回路２２２に供給されて非接触ＩＣタグ２００の各部に必要な所定の電源電圧（例えば、３．３Ｖ）が生成される。また、送受信回路２２４の図示しない受信回路から出力されたデータは、復調されてロジック制御回路２２８に供給される。ロジック制御回路２２８は図示しないクロックの出力に基づいて動作し、供給されるデータを処理して所定のものをメモリ２２６に書き込む。
【００４９】
非接触ＩＣタグ２００からリーダライタ１００にデータが送られる場合は、リーダライタ１００において、変調回路１３４からは無変調で一定振幅の高周波信号が出力され、駆動回路１３６、アンテナ部１１０のループアンテナ１１２を介して非接触ＩＣタグ２００に送られる。非接触ＩＣタグ２００においては、上記と同様、この高周波信号が電源回路２２２に供給され、上記の所定電源電圧が生成される。
【００５０】
一方、非接触ＩＣタグ２００においては、メモリ２２６から読み出されたデータがロジック制御回路２２８で処理されて送受信回路２２４に供給される。送受信回路２２４の図示しない送信回路は例えば負荷抵抗とスイッチとからなり、データの“１”、“０”ビットに応じてこのスイッチがＯＮ／ＯＦＦする。
【００５１】
リーダライタ１００においては、上記のように送受信回路２２４の図示しない送信回路のスイッチがＯＮ／ＯＦＦすると、アンテナ部１１０のループアンテナ１１２の両端子からループアンテナ１１２側をみた負荷が変動し、このため、ループアンテナ１１２に流れる高周波電流の振幅が変動する。即ち、この高周波電流は非接触ＩＣタグ２００のロジック制御回路２２８から送受信回路２２４の図示しない送信回路に供給されるデータによって振幅変調されたものである。この高周波電流は受信部１５０の図示しない電流検出手段で検出され、これもまた図示しない受信回路で復調されてデータが得られる。このデータはコントローラ１６０で処理され、図示しない外部装置などに送られる。
【００５２】
本発明の通信システム１は、非接触ＩＣカードやＩＣタグと同様に様々な多目的用途が見込まれている。これらの分野には、金融（キャッシュカード、クレジットカード、電子マネー管理、ファームバンキング、ホームバンキングなど）流通（ショッピングカード、商品券など）、医療（診察券、健康保険証、健康手帳など）、交通（ストアードフェア（ＳＦ）カード、回数券、免許証、定期券、パスポートなど）、保険（保険証券など）、証券（証券など）、教育（学生証、成績証など）、企業（ＩＤカードなど）、行政（印鑑証明、住民票など）などが含まれる。例えば、非接触ＩＣタグ２００がＩＤ情報をそのメモリに格納している場合には、通信システム１は、会社、研究所、大学などの入出力管理媒体として使用することができる。
【００５３】
以上、本発明の好ましい実施例を説明したが、本発明はその要旨の範囲内で様々な変形や変更が可能である。
【００５４】
【発明の効果】
本発明のリーダライタ及びそれを用いた通信システムは、かかるリーダライタによれば、減衰振動キャンセル部によりキャリアのＯＦＦタイミングに同期して所定のパルス信号を生成することで、減衰振動を抑制することができる。即ち、リーダライタと通信する非接触情報媒体の誤作動を防止することができるので、かかる通信システムの通信状態を良好なものとすることができる。
【図面の簡単な説明】
【図１】  本発明の通信システムの構成を示すブロック図である。
【図２】  図１に示すリーダライタの概略ブロック図である。
【図３】  図２に示すリーダライタの構成を概略的に示す回路図である。
【図４】  ループアンテナに送信される信号と同一な時間軸で示した、ロジック回路によって生成されるパルス信号を示した図である。
【図５】  （ａ）は減衰振動を有するキャリアを示す波形図であり、（ｂ）は減衰振動キャンセル部により作成されるパルス信号であり、（ｃ）は減衰振動キャンセル部を設けることによって得られるループアンテナより出力されるキャリアを示した波形図である。
【図６】  非接触ＩＣタグの構成を示す回路図である。
【図７】  非接触ＩＣタグを示す概略平面図である。
【図８】  （ａ）は減衰振動が発生した場合のキャリアを示す波形図であり、（ｂ）は非接触ＩＣタグによって検出され波形整形された波形図である。
【図９】  （ａ）は理想的なキャリアを示す波形図であり、（ｂ）は非接触ＩＣタグによって検出される波形整形された波形図である。
【符号の説明】
１              通信システム
１００          リーダライタ
１１０          アンテナ部
１２０          制御インターフェース部
１３０          送信部
１４０          減衰振動キャンセル回路
１４２          ロジック回路
１４４          微分回路
１４６          駆動回路
１５０          受信部
１６０          コントローラ
２００          非接触ＩＣタグ
２０５          基板
２１０          アンテナ部
２２０          ＩＣモジュール
【図１】
0004738641.tif 000002
【図２】
0004738641.tif 000003
【図３】
0004738641.tif 000004
【図４】
0004738641.tif 000005
【図５】
0004738641.tif 000006
【図６】
0004738641.tif 000007
【図７】
0004738641.tif 000008
【図８】
0004738641.tif 000009
【図９】
0004738641.tif 000010